(57)【要約】      （修正有）【課題】合理的な設計で、洗浄に便利な、組立及び解体可能な新型機能性マットレスを提供する。【解決手段】新型機能性マットレスは、固定体１と、着脱可能な複数のモジュール２とを備える。固定体１と、着脱可能な複数のモジュール２とは、マジックテープのＢ面４およびマジックテープのＡ面５の接続補助材を介して接続される。マットレス本体は、マットレススリーブ内に包まれることができる。異なる着脱可能な複数のモジュール２を選択するまたは選択しないことにより、局所的に異なる形状を備えるマットレスを組み立てることができる。【選択図】図６
0003216808.tif 000002
【実用新案登録請求の範囲】
【請求項１】
マットレス本体を含む着脱可能な新型機能性マットレスであって、前記マットレス本体は矩形以外の形状をしている固定体のみで構成され、又はこの固定体に１つ又は２つの着脱可能なモジュールを積層して組み合わられ、固定体と着脱可能なモジュールのいずれの対応位置にもマジックテープのＢ面が設置されることを特徴とする着脱可能な新型機能性マットレス。
【請求項２】
固定体と着脱可能なモジュールを接続する接続部材であるマジックテープを含むことを特徴とする請求項１に記載の着脱可能な新型機能性マットレス。
【請求項３】
前述マットレスは組み立てられたマットレス本体全体を包むためのマットレスカバーを更に含むことを特徴とする請求項１に記載の着脱可能な新型機能性マットレス。
【考案の詳細な説明】
【技術分野】
【０００１】
本実用新案はマットレスに関し、特に着脱可能な新型機能性マットレスに関する。このマットレスは、主な材質がバネ、高密度・高硬度発泡体、麻布、エマルション、ココナツ繊維、綿フェルト等のマットレス製造用の一般的な材料であり、本実用新案は家庭、学生寮やホテル等に適用できる。
【背景技術】
【０００２】
従来、仕事又は生活において、特に青少年が勉強している時に、タブレットＰＣを使う等のことに対処するために、頭を下げたり腰を屈めたりすることがよく行われるので、経時的に脊柱や脊椎に関する問題、例えばストレートネック等を引き起こす。
【考案の概要】
【考案が解決しようとする課題】
【０００３】
脊柱や脊椎に関する問題を予防及び矯正する時点としては、睡眠中が最も好ましい。従来、使用されているマットレスは一般的に平面型で、すなわちマットレス面は同一平面になることから、使用者に対する体型矯正効果が不十分である。本設計は、従来のマットレスの前記欠陥を克服するために、マットレスを非平面型に設計するか、平面型又は非平面型に組みあわせることのできるようにする。従って、使用者が横になって休んでいる時、頭部を上げるという姿勢を保持させることによって、体型異常を予防、矯正する役割を果たす。本実用新案は特に成長期の青少年に有用であると信じる。
【課題を解決するための手段】
【０００４】
従来のマットレスの構造及び機能上の欠陥（構造欠陥とは、形状が比較的単一で、平面形が一般的であることを意味し、機能欠陥とは、ストレートネック等に対する体型矯正効果が不十分であることを意味する）を克服するために、本実用新案は、マットレス本体を矩形以外の形状（すなわち本実用新案の固定体）に設計し、つまり、マットレスの枕元部を下へ傾斜するような形状に設計することによって、使用者が横になって休んでいる時、頭部を上げるという姿勢を保持させ、更に体型を矯正する役割を果たす。更に、固定体以外に、１つ又は２つの着脱可能なモジュールを増設して組み合わせることによって一般的なマットレスの形状又は他の形状を構成することも可能であり、それにより、使用者それぞれのニーズを満たす。
【考案の効果】
【０００５】
本製品を使用する時、高さの異なる着脱可能なモジュールを使用し又は着脱可能なモジュールを使用しないようにすることによって、一般的なマットレスとして使用できるだけでなく、枕元部を下へ傾斜する形状にして、使用者が横になって休んでいる時、頭部を上げるという姿勢を保持させ、それによって体型を矯正する役割を果たす。
【図面の簡単な説明】
【０００６】
以下、図面を利用して本実用新案を更に説明する。
【０００７】
【図１】本実用新案の断面構造模式図、すなわちマットレスカバーで包んだ図３の断面構造模式図である。
【図２】マットレス本体として独立して使用できる（傾斜度が大きい）本実用新案の固定体の部分模式図である。
【図３】一般的なマットレスの矩形状に組み立てられた本実用新案のマットレス本体の組合せ形態１の立体模式図である。
【図４】マットレスの一部が下へやや傾斜するように組み合せた本実用新案のマットレス本体の組合せ形態２の立体模式図である。
【図５】着脱可能なモジュールを利用して組み合わせた形状をしている本実用新案のマットレス本体の組合せ形態３の立体模式図である。
【図６】本実用新案のマットレス本体部材図（マットレスカバーを除く）であり、図中、１個の固定体（１）、４個の着脱可能なモジュール（２）及び２個のマジックテープＡ面（５）を含み、ここで、各固定体（１）と着脱可能なモジュール（２）にはマジックテープのＢ面（４）を有する。
【符号の説明】
【０００８】
１、固定体
２、着脱可能なモジュール
３、マジックテープ
４、マジックテープのＢ面
５、マジックテープのＡ面
６、マットレスカバー（注：マジックテープのＢ面とマジックテープのＡ面は粘着されてマジックテープになる）
【考案を実施するための形態】
【０００９】
本願の最適な実施形態では、着脱可能なモジュール又は低い着脱可能なモジュールを使用して、製品を枕元部が下へ傾斜するような形状に組み立てることによって、使用者の体型を矯正する目的を達成させる。
【００１０】
図６中、必要に応じて、１つ又は２つの着脱可能なモジュール（２）と固定体（１）を緊密且つ正確に配置して、マジックテープ（登録商標）のＡ面（５）を上記固定体（１）と着脱可能なモジュール（２）のマジックテープのＢ面（４）に接着する（上記固定体（１）と着脱可能なモジュール（２）のいずれにもマジックテープのＢ面（４）がある）ことによって  両方を緊密に接続して、図３、図４、図５又は他の形状にし、最後に組み合せたマットレス本体をマットレスカバーに包んで、マットレスを得る。勿論、固定体（１）だけをマットレスカバーに包んで使用してもよい。２つの着脱可能なモジュール（２）を使用する場合は、２つのモジュール同士が接続されないが、製品の機能等に影響を及ぼすことがない。更にマットレスカバーはマットレス本体の緩みを防止して、マットレス本体の構造をより安定させる。
【図１】
0003216808.tif 000003
【図２】
0003216808.tif 000004
【図３】
0003216808.tif 000005
【図４】
0003216808.tif 000006
【図５】
0003216808.tif 000007
【図６】
0003216808.tif 000008
【手続補正書】
【提出日】平成30年4月27日(2018.4.27)
【手続補正１】
【補正対象書類名】実用新案登録請求の範囲
【補正対象項目名】全文
【補正方法】変更
【補正の内容】
【実用新案登録請求の範囲】
【請求項１】
マットレス本体を含む着脱可能な新型機能性マットレスであって、前記マットレス本体は矩形以外の形状をしている固定体のみで構成され、又はこの固定体に１つ又は２つの着脱可能なモジュールを積層して組み合わせられ、固定体と着脱可能なモジュールのいずれかの対応位置にも面ファスナーのＢ面が設置されることを特徴とする着脱可能な新型機能性マットレス。
【請求項２】
固定体と着脱可能なモジュールを接続する接続部材である面ファスナーを含むことを特徴とする請求項１に記載の着脱可能な新型機能性マットレス。
【請求項３】
前述マットレスは組み立てられたマットレス本体全体を包むためのマットレスカバーを更に含むことを特徴とする請求項１に記載の着脱可能な新型機能性マットレス。